(57)【要約】      （修正有）【課題】組み立てが容易でかつ低コストで設置可能な組立式倉庫を提供する。【解決手段】所定間隔を確保しつつ奥行方向に向かって平行に並べて設置されたコンテナ１０と、並べて設置されたコンテナの間に形成された空間の上部を覆う着脱自在の屋根部材２０と、を備え、コンテナが屋根部材を支える柱部として機能する。屋根部材は、並べて設けられたコンテナに跨るように水平に設けられた梁２１と、梁上に垂直に設けられた複数の束２２と、複数の束の上に傾斜して設けられた垂木２３と、を有し、屋根部材を構成する部材同士および屋根部材とコンテナとの間が締結部材で固定される。【選択図】図１
0003220361.tif 000002
【実用新案登録請求の範囲】
【請求項１】
所定間隔を確保しつつ奥行方向に向かって平行に並べて設置されたコンテナ（１０）と、
並べて設置された前記コンテナ（１０）の間に形成された空間の上部を覆う着脱自在の屋根部材（２０）と、
を備え、前記コンテナ（１０）が、前記屋根部材（２０）を支える柱部として機能する組立式倉庫。
【請求項２】
前記屋根部材（２０）が、
並べて設けられた前記コンテナ（１０）に跨るように水平に設けられた梁（２１）と、
前記梁（２１）上に垂直に設けられた複数の束（２２）と、
前記複数の束（２２）の上に傾斜して設けられた垂木（２３）と、
を有し、この屋根部材（２０）を構成する部材同士およびこの屋根部材（２０）と前記コンテナ（１０）との間が締結部材（２４）で固定されている請求項１に記載の組立式倉庫。
【請求項３】
前記コンテナ（１０）が上下に複数段積み重ねられており、上下のコンテナ（１０）が締結部材（１３）で固定されている請求項１または２に記載の組立式倉庫。
【考案の詳細な説明】
【技術分野】
【０００１】
この考案は、組み立ておよび分解が可能な組立式倉庫に関する。
【背景技術】
【０００２】
港湾施設や物流施設の近傍などで、一時的に組立式の倉庫を設置して、積み荷などをこの倉庫内に一時的に保管することがある。
【０００３】
例えば、特許文献１に係る折り畳み式移動倉庫は、屋根部と、屋根部を支持する折り畳み式の脚部を備えている。脚部を立てて屋根部を支持することにより、内部空間を確保している（特許文献１の段落０００８、００１３、図１など参照）。
【０００４】
また、特許文献２に係るテント倉庫は、複数の主架構ブロックと、この主架構ブロックを覆う膜体とから構成されている。主架構ブロックは、ラチス材で補剛された柱材および合掌材（屋根の部分）からなる。主架構ブロックの構築に際しては、柱材を構成する上部柱の下部に倒した状態で連結された下部柱を起立させて固定することにより、脚部を構成している（特許文献２の段落０００９〜００１０、００１９、図１など参照）。
【先行技術文献】
【特許文献】
【０００５】
【特許文献１】特開２０１４−２０１９６２号公報
【特許文献２】特開平９−１７７３７７号公報
【考案の概要】
【考案が解決しようとする課題】
【０００６】
特許文献１、２に示す倉庫においては、倉庫の屋根を支える柱部にこの屋根の荷重が作用する。特に、この倉庫を降雪地域で使用する場合、屋根に積もった雪の重みも加わるため、柱部に大きな力が作用する。このため、柱部の強度不足に起因して損傷が生じたり、柱部の地面への固定が不十分なことに起因して倒壊したりする虞がある。柱部の損傷や倒壊を防ぐために、柱部の強度を高めるとともに、地面への固定を確実に行う必要があるが、それによって、倉庫の材料コストや設置コストが上昇したり、設置の手間が増大したりする問題が生じ得る。
【０００７】
そこで、この考案は、組み立てが容易でかつ低コストで設置可能な組立式倉庫を提供することを課題とする。
【課題を解決するための手段】
【０００８】
上記の課題を解決するため、この考案は、所定間隔を確保しつつ奥行方向に向かって平行に並べて設置されたコンテナと、並べて設置された前記コンテナの間に形成された空間の上部を覆う着脱自在の屋根部材と、を備えた組立式倉庫を構成した。
【０００９】
このようにすると、重量物であるコンテナが屋根部材を支える柱部として機能する。このコンテナは、地面に固定しなくても、それ自体の重量で安定し、多少の外力が作用しても動かない。このため、屋根部材を確実に支えることができる。しかも、このコンテナとして、海上輸送または陸上輸送に用いるものをそのまま利用することができるため、柱部を別途組み立てる必要がない。このため、倉庫全体の組み立てを容易に行うことができ、柱部に係る部品コストや、その組み立てに係る作業コストを大幅に削減することができる。
【００１０】
また、コンテナの中に積み荷などの物品を収納することにより、コンテナの総重量がさらに増大するため、このコンテナの安定性を一層向上することができる。
【００１１】
前記構成においては、前記屋根部材が、並べて設けられた前記コンテナに跨るように水平に設けられた梁と、前記梁上に垂直に設けられた複数の束と、前記複数の束の上に傾斜して設けられた垂木と、を有し、この屋根部材を構成する部材同士およびこの屋根部材とコンテナとの間が締結部材で固定されている構成とすることができる。
【００１２】
このようにすると、屋根部材自体に十分な強度をもたせることができる。このため、倉庫の内部に、この屋根部材を支持するための柱が不要となり、この倉庫の内部空間を有効活用することができる。しかも、屋根部材を構成する部材同士およびこの屋根部材とコンテナとの間は締結部材で固定されているため、その組み立ておよび分解作業をスムーズに行うことができる。
【００１３】
前記各構成においては、前記コンテナが上下に複数段積み重ねられており、上下の前記コンテナが締結部材で固定されている構成とすることができる。
【００１４】
このようにすると、積み重ねたコンテナの段数分だけ、倉庫の収納スペースを拡大することができる。また、上下のコンテナは締結部材で固定されているため、積み重ねおよび分解作業をスムーズに行うことができる。
【考案の効果】
【００１５】
この考案においては、所定間隔を確保しつつ奥行方向に向かって平行に並べて設置されたコンテナと、並べて設置された前記コンテナの間に形成された空間の上部を覆う着脱自在の屋根部材と、を備えた組立式倉庫を構成した。この構成によると、重量物であるコンテナが屋根部材を支える柱部として機能するため、屋根部材を安定的に支えることができる。また、柱部をコンテナで構成することにより、海上輸送または陸上輸送に用いるコンテナをそのまま利用することができるため、柱部を別途組み立てる必要がない。このため、倉庫全体の組み立てを容易に行うことができ、柱部に係る部品コストや、その組み立てに係る作業コストを大幅に削減することができる。
【図面の簡単な説明】
【００１６】
【図１】この考案に係る組立式倉庫の第一実施形態を示す斜視図（前面側）
【図２】組立式倉庫の組み立て工程において、下段コンテナを設置した状態を示す斜視図（背面側）
【図３】組立式倉庫の組み立て工程において、上段コンテナを設置した状態を示す斜視図（背面側）
【図４】上下段コンテナを締結部材で固定した状態を示す斜視図
【図５】組立式倉庫の組み立て工程において、屋根部材を設置した状態を示す斜視図（背面側）
【図６】コンテナと屋根部材を締結部材で固定した状態を示す断面図
【図７】組立式倉庫の組み立て工程において、補助部材を設けた状態を示す斜視図（前面側）
【図８】組立式倉庫の組み立て工程において、屋根部材および補助部材の上側にスレート板を設けた状態を示す斜視図（前面側）
【図９】組立式倉庫の組み立て工程において、背面板取付け用部材を設けた状態を示す斜視図（背面側）
【図１０】組立式倉庫の組み立て工程において、背面板を設けた状態を示す斜視図（背面側）
【図１１】この考案に係る組立式倉庫の第二実施形態を示す一部を切り欠いた斜視図（前面側）
【図１２】図１１に示す組立式倉庫の組み立て工程において、屋根部材を設置している状態を示す斜視図（背面側）
【考案を実施するための形態】
【００１７】
この考案に係る組立式倉庫の第一実施形態を図１に示す。この組立式倉庫は、港湾施設や物流施設の近傍などで、積み荷などを一時的に保管する場合などに設置され、コンテナ１０と屋根部材２０を主要な構成要素としている。
【００１８】
コンテナ１０は、所定間隔を確保しつつ奥行方向に向かって平行に並べて設置されている。この所定間隔は、倉庫の間口に対応し、例えば７メートルとすることができる。このコンテナ１０として、海上輸送または陸上輸送に用いられている２０フィート（約６メートル）または４０フィート（約１２メートル）コンテナをそのまま利用することができる。
【００１９】
コンテナ１０は、１段のみの配置としてもよいが、多段積み（この実施形態では２段積み）とすることもできる。このとき、上下のコンテナ１０（以下、下段コンテナ１１、上段コンテナ１２という。）は、締結部材１３としてのボルト（以下、締結部材１３と同じ符号を付する。）で固定されている。このため、コンテナ１０の積み重ねおよび分解作業をスムーズに行うことができる。また、コンテナ１０を多段積みとすると、積み重ねたコンテナ１０の段数分だけ、倉庫の収納スペースを拡大することができる。
【００２０】
一般的なコンテナ１０の角部には、トレーラなどの運搬手段に載置したときに、このコンテナ１０をトレーラ側に固定するための固定部材１４が設けられている。この固定部材１４は、通常はコンテナ１０の下面から下向きに突出して形成されている。後で説明する図４に示すように、この固定部材１４をコンテナ１０の角部内に埋め込んで、この角部からの出っ張りをなくすことによって、コンテナ１０を上下に積み重ねたときに、この上下のコンテナ１０間に隙間が生じるのを防止することができる。
【００２１】
コンテナ１０の各辺部には、このコンテナ１０の長さ方向および高さ方向に沿って排水路（図１などには図示せず）が形成されている。この排水路を形成することによって、屋根部材２０および上段コンテナ１２の天井部に降った雨水は、天井部に溜まることなくスムーズに地面に排水される。
【００２２】
屋根部材２０は、並べて設置されたコンテナ１０の間に形成された空間の上部を覆うように設けられている。この屋根部材２０は、コンテナ１０に対し着脱自在となっている。
【００２３】
この屋根部材２０は、並べて設けられたコンテナ１０に跨るように水平に設けられた梁２１と、梁２１上に垂直に設けられた複数の束２２と、複数の束２２の上に傾斜して設けられた垂木２３と、を有している。この梁２１と束２２は、Ｈ形鋼などの高い強度を備えた部材によって構成されている。このように構成された屋根部材２０は、それ自体が屋根全体の自重に耐え得る十分な強度を有している。このため、倉庫の内部に、この屋根部材２０を支持するための支柱が不要であり、この倉庫の収納スペースを有効活用することができる。
【００２４】
屋根部材２０を構成する部材（梁２１、束２２、垂木２３）同士、および、屋根部材２０とコンテナ１０との間は、締結部材２４としてのボルト（以下、締結部材２４と同じ符号を付する）で固定されている。このため、その組み立ておよび分解作業をスムーズに行うことができる。
【００２５】
倉庫の背面側には、後で説明する図１０に示すように、背面板２５が設けられている。積み重ねた上下段コンテナ１１、１２の間、上段コンテナ１２と屋根部材２０の間、あるいは、上下段コンテナ１１、１２と背面板２５の間に生じた隙間には、適宜シール部材（図示せず）が設けられる。このシール部材によって、倉庫内に雨水や風が入り込むのを防止することができる。
【００２６】
図１に示した組立式倉庫の組み立て手順を図２〜図１０を用いて説明する。
【００２７】
まず、図２に示すように、平坦な地面に２個の下段コンテナ１１を、所定間隔を確保しつつ奥行方向に向かって平行に並べて設置する。次に、図３に示すように、地面に設置した２個の下段コンテナ１１上に、上段コンテナ１２を積み重ねる。上下段コンテナ１１、１２は、図４に示すように、複数のボルト１３で固定されている。このため、その積み重ねおよび分解作業をスムーズに行うことができる。この実施形態では、上下段コンテナ１１、１２として、４０フィートコンテナ（奥行が約１２メートル）を採用している。
【００２８】
上下段コンテナ１１、１２の積み重ねが完了したら、図５に示すように、並べて設置されたコンテナ１０（１１、１２）の間に形成された空間の上部を覆うように屋根部材２０を設置する。屋根部材２０と上段コンテナ１２との間は、図６に示すように、複数のボルト２４で固定されている。このため、その組み立ておよび分解作業をスムーズに行うことができる。
【００２９】
この実施形態においては、屋根部材２０をコンテナ１０の奥行方向の最前部、中央部、および、最後部の３箇所に設けたが、コンテナ１０の長さに対応して、その数を適宜増減することができる。例えば、２０フィートコンテナは、その奥行が比較的小さいので（約６メートル）、屋根部材２０を奥行方向の最前部と最後部の２箇所に設けた構成としてもよい。
【００３０】
所定の数の屋根部材２０を設置したら、図７に示すように、屋根部材２０同士の間の隙間に所定数の補助部材２６を設ける。そして、図８に示すように、屋根部材２０および補助部材２６の上側からスレート板２７を被せて屋根を完成する。さらに、図９に示すように、コンテナ１０の背面側に、並べて設置されたコンテナ１０に跨る複数の背面板取付け用部材２８を設置する。そして、図１０に示すように、背面板取付け用部材２８に背面板２５を設置して、一連の組み立て作業を完了する。
【００３１】
なお、この実施形態においては、背面側に背面板２５を設置したが、背面板２５の代わりに、シャッタ、引戸、ドアなどの開閉手段を設けた構成とすることもできる。このようにすると、倉庫の背面側からも、物品の搬入および搬出を行うことができるため、利便性を向上することができる。
【００３２】
この考案に係る組立式倉庫の第二実施形態を図１１に示す。この組立式倉庫は、第一実施形態に係る組立式倉庫と基本的な構成は同じであるが、屋根部材２０の形状が異なっている。すなわち、第二実施形態に係る組立式倉庫においては、図１２に示すように、梯子形状の複数の屋根部材２０を隙間なく並べ、その上側からスレート板２７を被せて屋根を完成する。この屋根部材２０は、第一実施形態に係る組立式倉庫で使用される屋根部材２０と比較すると、形状がシンプルであるため、相対的に強度が低い場合がある。この場合は、図１１に示すように、倉庫の内部に支柱２９を設けて屋根部材２０を支持するのが好ましい。
【００３３】
この考案においては、海上輸送または陸上輸送に用いるコンテナ１０を屋根を支持する柱部として用い、このコンテナ１０に屋根部材２０を設置する構成としたので、組み立てが容易でかつ低コストの組立式倉庫を提供することができる。
【００３４】
上記の実施形態はあくまでも一例であって、組み立てが容易でかつ低コストで設置可能な組立式倉庫を提供する、というこの考案の課題を解決し得る限りにおいて、その構成を適宜変更することができる。
【００３５】
例えば、上記の各実施形態においては、奥行方向に１個のコンテナ１０を設置した構成としたが、この奥行方向に複数のコンテナ１０を連結してもよい。このようにすると、倉庫の収納スペースを拡大することができる。この場合、奥側のコンテナ１０の開口を確保するために、手前側のコンテナ１０の奥側壁を外しておく、または、扉式としておくのが好ましい。また、屋根部材２０の構造も、地面に設置するコンテナ１０の積み重ね数、奥行方向への連結数、収納スペースの大きさなどに対応して適宜変更することができる。
【符号の説明】
【００３６】
１０  コンテナ
１１  下段コンテナ
１２  上段コンテナ
１３  締結部材（ボルト）
１４  固定部材
２０  屋根部材
２１  梁
２２  束
２３  垂木
２４  締結部材（ボルト）
２５  背面板
２６  補助部材
２７  スレート板
２８  背面板取付け用部材
２９  支柱
【図１】
0003220361.tif 000003
【図２】
0003220361.tif 000004
【図３】
0003220361.tif 000005
【図４】
0003220361.tif 000006
【図５】
0003220361.tif 000007
【図６】
0003220361.tif 000008
【図７】
0003220361.tif 000009
【図８】
0003220361.tif 000010
【図９】
0003220361.tif 000011
【図１０】
0003220361.tif 000012
【図１１】
0003220361.tif 000013
【図１２】
0003220361.tif 000014